(57)【特許請求の範囲】
【請求項１】
二重紙に形成された果実袋及び前記果実袋の入口側に結合されるテンションクリップを含む、テンションクリップを有する果実袋において、
前記テンションクリップは弾性材質であって、第１のクリップ及び該第１のクリップに着脱可能に雄雌結合されるように、前記第１のクリップと点対称形状を有する第２のクリップを備え、
前記第１のクリップ及び前記第２のクリップは、挿入部及び該挿入部のそれぞれの両側に延長された密着部を有し、
前記挿入部は、前記両側の密着部中の互いに向かい合う一側端部に垂直に延長される一対の垂直部及び該一対の垂直部を連結する水平部を有し、
前記第１のクリップの垂直部中の一側の垂直部と前記第２のクリップの垂直部中の他側の垂直部には、前記水平部反対方向にそれぞれ垂直突起が延長形成され、前記第１のクリップの垂直部中の他側の垂直部と前記第２のクリップの垂直部中の一側の垂直部付近にはそれぞれ前記第１クリップの前記他側の垂直部に離隔され、前記第２クリップの前記一側の垂直部に離隔され、同じ長さに平行突起が突出形成されることで、前記平行突起と前記第１のクリップの他側の垂直部と、前記第２のクリップの一側の垂直部の間にそれぞれ結合溝が形成され、前記垂直突起とこれに対応する前記結合溝が着脱可能に雄雌結合され、
前記密着部中の前記挿入部の一側に配置された密着部の他側端部には、ヒンジ孔が形成され、前記挿入部の他側に配置された密着部の他側端部にはヒンジ突起が形成され、前記第１のクリップのヒンジ孔に前記第２のクリップのヒンジ突起が、また前記第１のクリップのヒンジ突起が前記第２のクリップのヒンジ孔に着脱可能に雄雌結合されることを特徴とするテンションクリップを有する果実袋。
【請求項２】
前記第１のクリップの一側垂直部及び前記平行突起及び、前記第２のクリップの他側垂直部及び前記平行突起には、互いに向かい合う方向及び前記水平部に平行に密着突起がそれぞれ突出形成されて、前記挿入部内に配置される前記果実袋の開口された入口を両側から加圧して閉塞することを特徴とする請求項１に記載のテンションクリップを有する果実袋。
【請求項３】
前記ヒンジ孔は上下部が開口された円筒状であるが、前記ヒンジ突起が挿入されるように側壁の一部が垂直方向に開口され、中心部に係止孔が円周に沿って形成され、
前記ヒンジ突起は中心部の直径が上下部の直径よりもさらに大きく形成されており、
前記ヒンジ突起の中心部が前記ヒンジ孔の係止孔に挿入されて前記ヒンジ突起が前記ヒンジ孔内で上下方向の移動が制限されることを特徴とする請求項１に記載のテンションクリップを有する果実袋。
【請求項４】
前記第１のクリップと前記第２のクリップの締結及び解除を締結道具で行われるように、前記水平部は前記垂直部の外側に突出されて前記密着部との間に前記締結道具の挿入空間が形成されることを特徴とする請求項１に記載のテンションクリップを有する果実袋。
【請求項５】
前記締結道具は、「＞」状の第１のバーと「＜」状の第２のバーが回転軸により回転可能に結合されて「Ｘ」字状が形成され、前記「Ｘ」字中の前記回転軸の下部は取っ手部が形成され、上部は回転部が形成され、前記第１のバーと前記第２のバーの回転部の一面には一対の挿入突起が互いに離隔形成され、
前記挿入突起が前記締結道具の挿入空間に挿入固定された後、前記取っ手部を互いに向かい合う方向に加圧すると前記回転部は互いに遠い方向に回転されて前記第１のクリップと前記第２のクリップの結合状態を解除することを特徴とする請求項４に記載のテンションクリップを有する果実袋。
【請求項６】
前記果実袋は、上部が開口された六面体状であって、互いに向かい合う両側面がそれぞれの長軸中心線から内側に折り畳まれ、
前記折り畳まれた一側側面中の前面に接する部分とこれに対応する前記前面半分の上部（前記テンションクリップが結合される部分）及び前記折り畳まれた他側側面中の後面に接する部分とこれに対応する前記後面半分の上部（前記テンションクリップが結合される部分）は水平方向に切断されて自由端が形成され、
前記自由端中の前記前面及び前記後面の自由端は前記折り畳まれた側面との間の空間内に重畳配置され、前記側面の自由端は開かれて前記前面及び後面上に重畳配置されることを特徴とする請求項１に記載のテンションクリップを有する果実袋。
【請求項７】
二重紙に形成された果実袋及び前記果実袋の入口側に結合されるテンションクリップを含む、テンションクリップを有する果実袋において、
前記テンションクリップは弾性材質であって、第１のクリップ及び該第１のクリップに着脱可能に雄雌結合されるように、前記第１のクリップと点対称形状を有する第２のクリップを備え、
前記第１のクリップ及び前記第２のクリップは、挿入部及び該挿入部のそれぞれの両側に延長された密着部を有し、
前記挿入部は、前記両側の密着部中の互いに向かい合う一側端部に垂直に延長される一対の垂直部及び該一対の垂直部を連結する水平部を有し、
前記水平部には互いに離隔されるようにフックが突出形成されて前記第１のクリップのフックと前記第２のクリップのフックが互いに係止状態に結合され、
前記第１のクリップのフックと前記第２のクリップのフックのうち互いに向かい合う面には密着突起が突出形成され、
前記密着部中の前記挿入部の一側に配置された密着部の他側端部にはヒンジ孔が形成され、前記挿入部の他側に配置された密着部の他側端部にはヒンジ突起が形成され、前記第１のクリップのヒンジ孔に前記第２のクリップのヒンジ突起が、また前記第１のクリップのヒンジ突起が前記第２のクリップのヒンジ孔に着脱可能に雄雌結合され、
前記ヒンジ孔は上下部が開口された円筒状であるが、前記ヒンジ突起が挿入されるように側壁の一部が垂直方向に開口され、中心部に係止孔が円周に沿って形成され、
前記ヒンジ突起は中心部の直径が上下部の直径よりもさらに大きく形成されており、
前記ヒンジ突起の中心部が前記ヒンジ孔の係止孔に挿入されて前記ヒンジ突起が前記ヒンジ孔内で上下方向の移動が制限され、
前記第１のクリップと前記第２のクリップの締結及び解除を締結道具で行われるように、前記水平部は前記垂直部の外側に突出され、前記密着部との間に前記締結道具の挿入空間が形成されることを特徴とするテンションクリップを有する果実袋。
【発明の詳細な説明】
【技術分野】
【０００１】
本発明は、テンションクリップを有する果実袋に関し、特に、高品質の果実を得るために未熟果（幼果実）を被せる果実袋の投入口側に、テンションクリップが結合されて果実袋内を外部と遮断させるテンションクリップを有する果実袋に関する。
【背景技術】
【０００２】
最近、何年前から農産物市場の開放に伴い外国からの高品質の果実が搬入され、これにより国内の果実消費パターンが高級化趨勢に変化されつつある。
【０００３】
このような環境の中で生存するために、国内の果樹農家も果実の品質と商品性を高めるために努力を重ねたところ、幼果実に果実袋を被せて保護することで、高品質の果実を収穫することができる果樹栽培法が次第にその重要性を高めている。
【０００４】
この栽培法は、幼果実を選別し、選別された果実に袋を被せて管理することで、栄養分の分散を抑制して１つの果実に栄養分を集中させるだけでなく、鳥類や害虫による果実の被害も、ある程度防止できると共に、所望する時期に適切な太陽光線に露出させて果実の成熟時期と成熟レベルを調節できるようにする。
【０００５】
果実袋栽培法では、上述のような長所はあるものの、果実袋を被せる作業は難しく、複雑なので、国内では広く使用されなかった。
【０００６】
すなわち、従来において果実に袋を被せる作業は、紙に糊付けして製作された袋に果実を被せた後に袋を針金で縛る形態が一般的であったが、このような作業は大部分が両手を使用することで可能な作業であって、高い果樹木に垂れている果実に袋を被せるために梯子上で作業することを勘案すると作業の安全性に問題があるだけでなく、作業時間と人力が余りにも多く所要され、それで大規模果樹農家の場合には莫大な人件費が使われた。
【０００７】
そのため、作業者が片手で容易に幼果実に袋を被せられる作業ができるように、テンション部材を備えた果実袋が発明された。
【０００８】
しかしながら、従来のテンション部材が備えられた果実袋は、入口を開放するためにテンション部材の両方から力を加えた場合、両面のテンション部材が一方向に曲げられて入口が開放されない場合が多く、作業能率が落ちる問題があった。
【０００９】
さらに、従来の果実袋は、折り畳まれた状態で未熟果を収容し、未熟果が成長するほどその空間は拡張させなければならないが、実際に果実が成長するにつれ拡張される空間は十分でなく、これを解決するために果実袋を大きくしなければならないので、非経済的で、かつ果実袋を保管する際に占有空間が多く必要とされるという問題を抱えていった。
【発明の開示】
【発明が解決しようとする課題】
【００１０】
本発明は、上記のような問題点を解決するためのものであって、作業時間と作業人力を最小化し、果実袋の入口開放が容易かつ円滑であり、果実袋のサイズを小さくし経済的であり、占有空間も小さく、改善されたテンションクリップを有する果実袋を提供することをその目的とする。
【課題を解決するための手段】
【００１１】
本発明のテンションクリップを有する果実袋は、二重紙で形成された果実袋及び該果実袋の入口側に結合されるテンションクリップを含むもので、前記テンションクリップは、弾性材質であり、第１のクリップ及び該第１のクリップに着脱可能に雄雌結合されるように、前記第１のクリップと点対称形状を有する第２のクリップを備え、前記第１のクリップ及び前記第２のクリップは、挿入部及び該挿入部のそれぞれの両側に延長された密着部を有し、前記挿入部は前記両側の密着部中の互いに向かい合う一側端部に垂直に延長される一対の垂直部及び該一対の垂直部を連結する水平部を有し、前記第１のクリップの垂直部中の一側の垂直部と前記第２のクリップの垂直部中の他側の垂直部には前記水平部の反対方向に垂直突起が延長形成され、前記第１のクリップの垂直部中の他側の垂直部と前記第２のクリップの垂直部中の一側の垂直部付近には、前記他側の垂直部に離隔され、同じ長さに平行突起が突出形成されることで、前記平行突起と前記他側の垂直部との間に結合溝が形成され、前記垂直突起とそれに対応する前記結合溝が着脱可能に雄雌結合され、前記密着部中の前記挿入部の一側に配置された密着部の他側端部にはヒンジ孔が形成され、前記挿入部の他側に配置された密着部の他側端部には、ヒンジ突起が形成され、前記第１のクリップのヒンジ孔に前記第２のクリップのヒンジ突起が、また前記第１のクリップのヒンジ突起が前記第２のクリップのヒンジ孔に着脱可能に雄雌結合される。
【００１２】
前記第１のクリップ及び前記第２のクリップの一側垂直部及び前記平行突起には、互いに向かい合う方向及び前記水平部に平行に密着突起が突出形成されて前記挿入部内に配置される前記果実袋の開口された入口を両側から加圧して閉塞することが好ましい。
【００１３】
前記ヒンジ孔は、上下部が開口された円筒状であって、前記ヒンジ突起が挿入されるように側壁の一部が垂直方向に開口され、中心部に係止孔が円周に沿って形成され、前記ヒンジ突起は中心部の直径が上下部の直径よりもさらに大きく形成されており、前記ヒンジ突起の中心部が前記ヒンジ孔の係止孔に挿入されて前記ヒンジ突起が前記ヒンジ孔内で上下方向の移動が制限されることが好ましい。
【００１４】
前記第１のクリップと前記第２のクリップの締結及び解除を締結道具で行われるように、前記水平部は前記垂直部の外側に突出されて前記密着部との間に前記締結道具の挿入空間が形成されることが好ましい。
【００１５】
前記締結道具は「＞」状の第１のバーと「＜」状の第２のバーが回転軸によって回転可能に結合されて「Ｘ」字状が形成され、前記「Ｘ」字中の前記回転軸の下部には取っ手部が形成され、上部には回転部が形成され、前記第１のバーと前記第２のバーの回転部の一面には一対の挿入突起が互いに離隔形成され、前記挿入突起が前記締結道具の挿入空間に挿入固定された後、前記取っ手部を互いに向かい合う方向に加圧すると前記回転部は互いに遠い方向に回転されて前記第１のクリップと前記第２のクリップとの結合状態を解除することが好ましい。
【００１６】
前記果実袋は、上部が開口された六面体状であって、互いに向かい合う両側面がそれぞれの長軸中心線から内側に折られ、前記折り畳まれた一側側面中の前面に接する部分とこれに対応する前記前面半分の上部（前記テンションクリップが結合される部分）及び前記折り畳まれた他側側面中の後面に接する部分とこれに対応する前記後面半分の上部（前記テンションクリップが結合される部分）は水平方向に切断されて自由端が形成され、前記自由端中の前記前面及び前記後面の自由端は、前記折り畳まれた側面間の空間内に重畳配置され、前記側面の自由端は開かれて前記前面及び後面上に重畳配置されることが好ましい。
【００１７】
本発明のテンションクリップを有する果実袋は、二重紙に形成された果実袋及び前記果実袋の入口側に結合されるテンションクリップを含むことで、前記テンションクリップは弾性材質であって、第１のクリップ及び該第１のクリップに着脱可能に雄雌結合されるように前記第１のクリップと点対称形状を有する第２のクリップを備え、前記第１のクリップ及び前記第２のクリップは、挿入部及び該挿入部のそれぞれの両側に延長された密着部を有し、前記挿入部は前記両側の密着部中の互いに向かい合う一側端部に垂直に延長される一対の垂直部及び該一対の垂直部を連結する水平部を有し、前記水平部には互いに離隔されるように、フックが突出形成されて前記第１のクリップのフックと前記第２のクリップのフックとが互いに係止状態に結合され、前記第１のクリップのフックと前記第２のクリップのフック中の互いに向かい合う面には密着突起が突出形成され、前記密着部中の前記挿入部の一側に配置された密着部の他側端部にはヒンジ孔が形成され、前記挿入部の他側に配置された密着部の他側端部にはヒンジ突起が形成され、前記第１のクリップのヒンジ孔に前記第２のクリップのヒンジ突起が、また前記第１のクリップのヒンジ突起が前記第２のクリップのヒンジ孔に着脱可能に雄雌結合され、前記ヒンジ孔は上下部が開口された円筒状となり、前記ヒンジ突起が挿入されるように側壁の一部が垂直方向に開口され、中心部に係止孔が円周に沿って形成され、前記ヒンジ突起は中心部の直径が上下部の直径よりもさらに大きく形成されており、前記ヒンジ突起の中心部が前記ヒンジ孔の係止孔に挿入されて前記ヒンジ突起が前記ヒンジ孔内で上下方向の移動が制限され、前記第１のクリップと前記第２のクリップとの締結及び解除を締結道具で行われるように、前記水平部は前記垂直部の外側に突出されて前記密着部との間に前記締結道具の挿入空間が形成される。
【発明の効果】
【００１８】
本発明のテンションクリップを有する果実袋によれば、果実袋に自由端を形成して果実袋内の果実が成長することによって自然に且つ容易に果実袋が開放されて果実の成長妨害が防止でき、テンションクリップは係止孔が形成されたヒンジ孔に中心部が突出されたヒンジ突起が結合される構造によって、第１のクリップと第２のクリップとの間の分離が防止でき、垂直突起と、平行突起及び密着突起またはフックを形成して第１のクリップと第２のクリップとの結合及び分離を容易とさせ、果実袋の開口部を外部から閉塞することで異物の内部浸透を防止する長所を有する。
【図面の簡単な説明】
【００１９】
【図１】本発明の第１の実施形態によるテンションクリップを有する果実袋を概略的に示す斜視図である。
【図２】本発明の第１の実施形態によるテンションクリップを有する果実袋を概略的に示す斜視図である。
【図３】図１の果実袋に結合されるテンションクリップを概略的に示す斜視図である。
【図４】図１の果実袋と図３のテンションクリップが結合された姿を概略的に示す斜視図である。
【図５】図１の果実袋に結合されるテンションクリップの他の形態を概略的に示す斜視図である。
【図６】図２のテンションクリップの締結及び解除に使用される締結道具を概略的に示す平面図である。
【発明を実施するための最良の形態】
【００２０】
以下に、添付した図面を参照しながら本発明のテンションクリップを有する果実袋について詳しく説明する。
【００２１】
図１及び図２は、本発明の一実施形態によるテンションクリップを有する果実袋を概略的に示す斜視図であり、図３は、図１の果実袋に結合されるテンションクリップを概略的に示す斜視図であり、図４は、図１の果実袋と図３のテンションクリップとが結合された形態を概略的に示す斜視図である。
【００２２】
図１〜４を参照すると、本発明のテンションクリップを有する果実袋は、二重紙で形成され、上部が開口された果実袋２００及び該果実袋２００の上部に結合されて、果実袋２００内に収容された果実のへたが貫通されるようにすると共に、前記果実袋２００の開口された部分を閉塞するテンションクリップ１００を含む。
【００２３】
前記果実袋２００は、上部が開口され、底面と、両側面と、前面及び後面を有する六面体形状で、互いに向かい合う両側面は長軸の中心線から内側に半分に折って、前面と後面との間に重畳配置される。
【００２４】
前記前面の一側半分とこの部分に重畳対応される一側側面の半分上部及び前記後面の他側半分とこの部分に重畳対応される他側側面の半分上部は、はさみなどによって水平方向に切断されて自由端（Ａ；切り取りされた部分）が形成される。
【００２５】
ここで、前記自由端（Ａ）のうち、前面に形成された自由端（Ａ）は、折り畳まれた一側側面の間の空間内に配置され、後面に形成された自由端（Ａ）は、折り畳まれた他側側面の間の空間内に配置され、側面に形成された自由端Ａは開かれた状態で前面と後面に重畳されるように配置される。
【００２６】
ここで、前記果実袋２００の上部は、テンションクリップ１００が結合される部分に対応する。
【００２７】
上記のような構造の果実袋２００によれば、前面一側半分とこれに対応する一側側面の半分及び後面他側半分とこれに対応する他側側面の半分がテンションクリップ１００の下で自由端Ａを形成するので、すなわち固定されないので、果実袋２００内に収容された未熟果が成長するにつれて大きくなる果実の大きさに対応し、容易に、かつ果実の大きさに合わせて開かれることができ、果実袋（Ａ）の大きさを従来よりも縮小することができる長所を有する。
【００２８】
前記テンションクリップ１００は、プラスチックなどのような弾性材質からなり、第１のクリップ１１０及び第１のクリップ１１０に着脱可能に結合される第２のクリップ１２０を備える。
【００２９】
ここで、前記第１のクリップ１１０と前記第２のクリップ１２０は点対称形状を有して第１のクリップ１１０に対して第２のクリップ１２０を１８０度回転させると第２のクリップ１２０は第１のクリップ１１０と同一形態を有する。
【００３０】
以下に、第１のクリップ１１０の構造について説明する。
【００３１】
前記第１のクリップ１１０は、挿入部１１１及び該挿入部１１１の両側に延長された密着部１１６を有する。
【００３２】
前記挿入部１１１は、互いに所定間隔離隔された一対の垂直部１１２及び該一対の垂直部１１２を連結する水平部１１３を有し、おおよそ「
0005931278.tif 000002
」状が時計方向に９０度回転された形態で形成される。
【００３３】
ここで、前記水平部１１３は、一対の垂直部１１２の外側に突出延長されて前記密着部１１６と平行に重畳配置され、この突出延長された部分とこれに重畳された密着部１１６との間には孔状に空間が形成される。
【００３４】
前記垂直部１１２のうち一側の垂直部１１２は、水平部１１３とは反対方向に垂直突起１１２ａが延長形成され、他側の垂直部１１２付近には、すなわち一側方向に前記垂直突起１１２ａの幅ほど離隔された位置に、平行突起１１２ｂが垂直部１１２と同一長さ及び平行に突出形成され、他側の垂直部１１２と平行突起１１２ｂとの間には結合溝１１４が形成される。
【００３５】
よって、第１のクリップ１１０と第２クリップ１２０は、第１のクリップ１１０の垂直突起１１２ａが第２のクリップ１２０の結合溝に挿入され、第２のクリップ１２０の垂直突起が第１のクリップ１１０の結合溝１１４に挿入され、第１のクリップ１１０と第２クリップ１２０は互いに着脱可能に結合される。
【００３６】
前記垂直部１１２のうち一側垂直部１１２、すなわち垂直突起１１２ａが延長された側の垂直部１１２と平行突起１１２ｂには、互いに向かい合う方向に、水平部１１３に平行に密着突起１１５が突出形成され、前記密着突起１１５は密着部１１６と同一線上に配置される。
【００３７】
すなわち、前記密着突起１１５は、前記密着部１１６の仮想の延長線上に形成される。
【００３８】
前記密着突起１１５は、第１のクリップ１１０と第２クリップ１２０とが結合時、挿入部１１１内の果実袋２００を両方向に加圧し、果実袋２００の開口部を閉塞することができる。
【００３９】
前記密着部１１６のうち前記挿入部１１１の一側に形成された密着部１１６の端部には、ヒンジ孔１１７が形成され、挿入部１１１の他側に形成された密着部１１６の端部には、ヒンジ突起１１９が形成されて第１のクリップ１１０と第２クリップ１２０との結合時に、第１のクリップ１１０のヒンジ孔１１７に第２のクリップ１２０のヒンジ突起が挿入され、第２のクリップ１２０のヒンジ孔に第１のクリップ１１０のヒンジ突起１１９が挿入されて相互着脱可能に結合される。
【００４０】
ここで、前記ヒンジ孔１１７は、上下部が開口された円筒形状だが、前記ヒンジ突起１１９が水平方向に挿入されるように、側壁の一部が垂直方向に開口されておおよそ「Ｃ」字形状を有する。
【００４１】
一方、ヒンジ孔１１７に挿入されたヒンジ突起１１９が上下方向に離脱されることを防止するために、ヒンジ孔１１７の中心部には円周によって「Ｃ」字形状の係止孔１１８が形成され、ヒンジ突起１１９は、中心部の直径が上下部の直径よりもさらに大きく形成されることで、ヒンジ突起１１９の中心部がヒンジ孔１１７の係止孔１１８内に挿入されてヒンジ孔１１７内に挿入されたヒンジ突起１１９が上下方向に離脱することを防止することができる。
【００４２】
上記のような構造のテンションクリップを有する果実袋は、果実袋２００の開口部部分に、第１のクリップ１１０と第２クリップ１２０が果実袋２００の両側方向に結合され、第１のクリップ１１０と第２クリップ１２０の結合により形成された四角形形状の挿入部１１１を介して果実のへた部分が露出され、果実袋２００の開口部のうちの挿入部１１１内は密着突起１１５により閉塞され、 果実袋２００内は密着部１１６により閉塞されることで、果実袋２００内を外部と遮断することができる。
【００４３】
図５は、本発明のテンションクリップを有する果実袋中のテンションクリップの他の実施形態を概略的に示す斜視図である。
【００４４】
図５を参照すると、他の実施形態としてのテンションクリップは、第１の実施形態のテンションクリップ中の挿入部内での結合手段に相違を有するもので、他の実施形態のテンションクリップでは、第１の実施形態の垂直突起及び平行突起の代わりにフック１４０が備えられる。
【００４５】
すなわち、前記フック１４０は、水平部１１３の一面のうちの一側及び他側にそれぞれ突出形成され、水平部１１３の中心から一側にかたよって形成されることで、第１のクリップ１１０の一対のフック１４０と第２のクリップ１２０の一対のフックが互いに係止状態で着脱可能に結合される。
【００４６】
ここで、前記一対のフック１４０のうちいずれか１つのフック１４０には、第１のクリップ１１０と第２のクリップ１２０とが結合時に、内側に配置されるフック１４０に密着突起１１５を形成することができる。
【００４７】
一方、前記第１のクリップ１１０と第２クリップ１２０の締結及び解除は、人が手でもできるが、第１のクリップ１１０と第２クリップ１２０のサイズが小さく細くて、人の手で使用する場合には作業能率が低減されるので、別途の締結道具をもちいて締結及び解除作業をすると容易に、かつ人力を減らすことができる効率的な長所を有する。
【００４８】
図６は、図３のテンションクリップの締結及び解除に使用される締結道具を概略的に示す斜視図である。
【００４９】
図６を参照すると、本発明の締結道具３００は、一般的なはさみと類似形態であって、第１のバー３１０と第２のバー３２０が回転軸によって回転可能に結合されて取っ手部及び回転部が形成される。
【００５０】
ここで、前記第１のバー３１０は、おおよそ「＞」形状で、第２のバー３２０はおおよそ「＜」形状に形成され、第１のバー３１０と第２のバー３２０の回転部のそれぞれの一面には一対の挿入突起３３０が互いに離隔されるように突出形成されるが、この一対の挿入突起３３０は、前記水平部１１３が垂直部１１２外側に突出されて密着部１１６との間に形成された挿入空間１３０に挿入される。
【００５１】
すなわち、第１のバー３１０に形成された一対の挿入突起３３０は、第１のクリップ１１０に形成された一対の挿入空間１３０のそれぞれに挿入され、第２のバー３２０に形成された一対の挿入突起３３０は、第２のクリップ１２０に形成された一対の挿入空間のそれぞれに挿入される。勿論、第１のバー３１０の挿入突起３３０が第２のクリップ１２０の挿入空間に、第２のバー３２０の挿入突起３３０が第１のクリップ１１０の挿入空間１３０に挿入されてもよい。
【００５２】
前記締結道具３００は、一対の取っ手部を掴んで互いに向かい合う方向に移動させると、これに対応する一対の回転部は互いに遠い方向に移動する構造であって、前記第１のバー３１０の挿入突起３３０を第１のクリップ１１０の挿入空間１３０に挿入させ、第２のバー３２０の挿入突起３３０を第２のクリップ１２０の挿入空間に挿入させた状態で、果実袋２００を第１のクリップ１１０と第２クリップ１２０との間に配置させた後、一対の取っ手部を互いに遠い方向に移動させれば前記第１のクリップ１１０と第２クリップ１２０は果実袋２００を間に置いて結合される。
【００５３】
果実袋２００で第１のクリップ１１０と第２クリップ１２０を分離させようとする場合には、反対過程を介して容易に作業できる長所を有する。
【００５４】
上記のような構造のテンションクリップを有する果実袋によれば、果実袋に自由端を形成し、果実袋内の果実が成長するにつれて自然的にかつ容易に果実袋が開かれて果実の成長妨害を防止することができ、テンションクリップは係止孔が形成されたヒンジ孔に中心部が突出されたヒンジ突起が結合される構造によって第１のクリップと第２のクリップとの間の離脱を防止することができ、垂直突起と、平行突起及び密着突起またはフックを形成し、第１のクリップと第２のクリップの結合及び分離を容易に行うことができ、果実袋の開口部を外部から閉塞することで、異物の内部浸透を防止することができる長所を有する。
【図１】
0005931278.tif 000003
【図２】
0005931278.tif 000004
【図３】
0005931278.tif 000005
【図４】
0005931278.tif 000006
【図５】
0005931278.tif 000007
【図６】
0005931278.tif 000008